(57)【要約】【課題】車両の軽量化を図りつつ、衝突時におけるシートの変位を抑制する。【解決手段】フレーム車１０のキャビン１４の底部には、フロアパネル２２が位置している。フロアパネル２２は、フロアトンネル２２０２と、フロア部２２０４とを備え、シート２６は、各フロア部２２０４上でフロアクロスメンバ２４の上にシート取り付け部２８を介して取着されている。シート取付構造は、シャシーフレーム１２に対してシート取り付け部２８の変位を規制する変位規制部材３０を含んで構成されている。フロアトンネル２２０２の内部の両側でフロアクロスメンバ２４が溶接された箇所と対応する箇所に補強部材３２がそれぞれ溶接により取り付けられている。変位規制部材３０は、各補強部材３２とシャシーフレーム１２のフレームクロスメンバ２０とにわたってそれぞれ設けられている。【選択図】図２
2015217766.tif 000002
【特許請求の範囲】
【請求項１】
シャシーフレームの上にフロアパネルが設けられ、
前記フロアパネルにシートが取り付けられるシート取り付け部が設けられたフレーム車であって、
前記シート取り付け部または前記シート取り付け部が設けられた前記フロアパネルの箇所と前記シャシーフレームとの間に、前記シャシーフレームに対して前記シート取り付け部の変位を規制する変位規制部材が設けられている、
ことを特徴とするフレーム車のシート取り付け構造。
【請求項２】
前記フロアパネルに、前記シート取り付け部と一体化された補強部材が設けられ、
前記変位規制部材は、前記補強部材と前記シャシーフレームとにわたって設けられている、
ことを特徴とする請求項１記載のフレーム車のシート取り付け構造。
【請求項３】
前記フロアパネルは、車幅方向の中央で車両の前後方向に延在するフロアトンネルと、前記フロアトンネルの車幅方向の両側に位置するフロア部とを備え、
前記フロア部上に、車幅方向に延在し前記シート取り付け部を有するフロアクロスメンバが設けられ、
前記補強部材は、前記フロアトンネル内で前記フロアパネルを介して前記フロアクロスメンバと一体化されて設けられている、
ことを特徴とする請求項２記載のフレーム車のシート取り付け構造。
【請求項４】
前記シャシーフレームは、車幅方向に間隔をおいて車両の前後方向に延在する複数のフレームサイドメンバと、車両の前後方向に間隔をおいて車幅方向に延在し前記複数のフレームサイドメンバを連結する複数のフレームクロスメンバとを備え、
前記変位規制部材が取り付けられる前記シャシーフレームの箇所は、前記フレームクロスメンバの箇所である、
ことを特徴とする請求項１〜３の何れか１項記載のフレーム車のシート取り付け構造。
【請求項５】
前記変位規制部材は、前記シート取り付け部または前記シート取り付け部が設けられた前記フロアパネルの箇所に取り付けられるフロアパネル側取り付け部と、前記シャシシャシーフレームに取り付けられるシャシーフレーム側取り付け部と、それら取り付け部を連結するワイヤとを含んで構成されている、
ことを特徴とする請求項１〜４の何れか１項記載のフレーム車のシート取り付け構造。
【請求項６】
前記変位規制部材は、前記シート取り付け部または前記シート取り付け部が設けられた前記フロアパネルの箇所に取り付けられる箇所が、前記シャシーフレームに取り付けられる箇所よりも車両の前方に変位した箇所に位置し、かつ、平面視した場合、車両の前後方向に延在している、
ことを特徴とする請求項１〜５の何れか１項記載のフレーム車のシート取り付け構造。
【請求項７】
前記変位規制部材は、鉛直方向に延在している、
ことを特徴とする請求項１〜５の何れか１項記載のフレーム車のシート取り付け構造。
【発明の詳細な説明】
【技術分野】
【０００１】
本発明はフレーム車のシート取り付け構造に関する。
【背景技術】
【０００２】
車両のシートは、シート取り付け部を介してフロアパネルに取り付けられている。
車両が前面衝突した場合、シートはその慣性により前方への力が加わるため、この力によりシート取り付け部は前方に変位し、このシート取り付け部の変位によりフロアパネルは変形し、その結果、シートが前方に傾く。
ＮＣＡＰ（New Car Assessment Program）などの自動車衝突テストでは、前面衝突時のシートの傾き量を評価していることから、シートの傾き量を如何にして抑制するかが重要である。
そこで、従来から、フロアパネルに金属材料からなる剛性を有する補強部材を取り付けることでフロアパネルの強度を確保し、フロアパネルの変形を抑制するようにした構造が提案されている（特許文献１、２、３参照）。
【先行技術文献】
【特許文献】
【０００３】
【特許文献１】特開平６−１４４３００号公報
【特許文献２】特開２０１１−１１１０４４号公報
【特許文献３】特開２０１２−１１１３６３号公報
【発明の概要】
【発明が解決しようとする課題】
【０００４】
しかしながら、上記従来技術では、剛性の高い補強部材を用いることから補強部材が重いものとなり、フロアパネルの重量が増加し車両の軽量化を図る上で不利がある。
一方、フレーム車では、強固なシャシーフレームの上にキャビンが設けられ、車両のシートは、キャビンのフロアパネルに取り付けられている。
本発明は、フレーム車のシャシーフレームに着目して案出されたものであり、本発明の目的は、車両の軽量化を図りつつ、衝突時におけるシートの変位を抑制する上で有利なフレーム車のシート取り付け構造を提供することを目的とする。
【課題を解決するための手段】
【０００５】
上記目的を達成するために、請求項１記載の発明は、シャシーフレームの上にフロアパネルが設けられ、前記フロアパネルにシートが取り付けられるシート取り付け部が設けられたフレーム車であって、前記シート取り付け部または前記シート取り付け部が設けられた前記フロアパネルの箇所と前記シャシーフレームとの間に、前記シャシーフレームに対して前記シート取り付け部の変位を規制する変位規制部材が設けられていることを特徴とする。
請求項２記載の発明は、前記フロアパネルに、前記シート取り付け部と一体化された補強部材が設けられ、前記変位規制部材は、前記補強部材と前記シャシーフレームとにわたって設けられていることを特徴とする。
請求項３記載の発明は、前記フロアパネルは、車幅方向の中央で車両の前後方向に延在するフロアトンネルと、前記フロアトンネルの車幅方向の両側に位置するフロア部とを備え、前記フロア部上に、車幅方向に延在し前記シート取り付け部を有するフロアクロスメンバが設けられ、前記補強部材は、前記フロアトンネル内で前記フロアパネルを介して前記フロアクロスメンバと一体化されて設けられていることを特徴とする。
請求項４記載の発明は、前記シャシーフレームは、車幅方向に間隔をおいて車両の前後方向に延在する複数のフレームサイドメンバと、車両の前後方向に間隔をおいて車幅方向に延在し前記複数のフレームサイドメンバを連結する複数のフレームクロスメンバとを備え、前記変位規制部材が取り付けられる前記シャシーフレームの箇所は、前記フレームクロスメンバの箇所であることを特徴とする。
請求項５記載の発明は、前記変位規制部材は、前記シート取り付け部または前記シート取り付け部が設けられた前記フロアパネルの箇所に取り付けられるフロアパネル側取り付け部と、前記シャシーフレームに取り付けられるシャシーフレーム側取り付け部と、それら取り付け部を連結するワイヤとを含んで構成されていることを特徴とする。
請求項６記載の発明は、前記変位規制部材は、前記シート取り付け部または前記シート取り付け部が設けられた前記フロアパネルの箇所に取り付けられる箇所が、前記シャシーフレームに取り付けられる箇所よりも車両の前方に変位した箇所に位置し、かつ、平面視した場合、車両の前後方向に延在していることを特徴とする。
請求項７記載の発明は、前記変位規制部材は、鉛直方向に延在していることを特徴とする。
【発明の効果】
【０００６】
請求項１記載の発明によれば、衝突時、シートに作用する慣性力によりシート取り付け部材に力が作用するものの、この力を変位規制部材を介してシャシーフレームで受けることができる。
したがって、シート取り付け部材またはシート取り付け部材が設けられたフロアパネルの箇所の前方への変位を抑制し、フロアパネルの変形を抑制する上で有利となる。
また、シャシーフレームを利用してシート取り付け部材またはシート取り付け部材が設けられたフロアパネルの箇所の前方への変位を抑制できるため、フロアパネルに取り付けていた補強パネルなどの補強部材を省略でき、車両の軽量化を図る上で有利となる。
請求項２記載の発明によれば、変位規制部材の取付箇所の設計の自由度を増やす上で有利となり、また、シート取り付け部またはシート取り付け部が設けられたフロアパネルの箇所に対して変位規制部材を確実に連結する上で有利となる。
請求項３記載の発明によれば、フロア下方に設けられる種々の部材に干渉することなく、フロアトンネルの内側空間を利用して補強部材を簡単に配置する上で有利となる。
請求項４記載の発明によれば、フレームクロスメンバは車幅方向に延在しているので、このフレームクロスメンバを利用することで、シャシーフレーム側への変位規制部材の取り付け箇所を簡単に設定する上で有利となる。
請求項５記載の発明によれば、ワイヤを用いて変位規制部材を構成したので、変位規制部材の軽量化を図る上で有利となる。
請求項６記載の発明によれば、前面衝突時、シートに作用する慣性力を変位規制部材を介してシャシーフレームで受けることができ、フロアパネルの変形を抑制する上で有利となる。
請求項７記載の発明によれば、衝突時、シートに作用するあらゆる方向の慣性力を変位規制部材を介してシャシーフレームで受けることができ、フロアパネルの変形を抑制する上で有利となる。
【図面の簡単な説明】
【０００７】
【図１】実施の形態のシート取り付け構造が適用されるフレーム車の構成を模式的に示す平面図である。
【図２】実施の形態のシート取り付け構造の構成を示す斜視図である。
【図３】（Ａ）は実施の形態のシート取り付け構造の構成を示す正面図、（Ｂ）は（Ａ）のＢＢ線断面図である。
【図４】変形例におけるシート取り付け構造の構成を示す断面図である。
【発明を実施するための形態】
【０００８】
以下、本発明の実施の形態について図面を参照して説明する。
図１に示すように、フレーム車１０は、シャシーフレーム１２と、シャシーフレーム１２上で車両前後方向の前方寄りの箇所に配置されたキャビン１４と、シャシーフレーム１２上でキャビン１４の後方に配置された荷台１６とを含んで構成されている。
シャシーフレーム１２は、複数のフレームサイドメンバ１８と、複数のフレームクロスメンバ２０とを備えている。
フレームサイドメンバ１８は、車幅方向に間隔をおいて車両の前後方向に延在しており、本実施の形態では、フレームサイドメンバ１８が２つ設けられている。
フレームクロスメンバ２０は、車両の前後方向に間隔をおいて車幅方向に延在し複数のフレームサイドメンバ１８を連結している。
本実施の形態では、合計５つのフレームクロスメンバ２０が設けられている。
【０００９】
キャビン１４は、車両の前方寄りに配置された２つのフレームクロスメンバ２０上に配置されている。
キャビン１４の底部には、フロアパネル２２が位置している。
図１、図２に示すように、フロアパネル２２は、フロアトンネル２２０２と、フロア部２２０４とを備えている。
フロアトンネル２２０２は、車幅方向の中央で車両の前後方向に延在するものであり、断面が上方に凸状を呈し下方が開放されている。フロアトンネル２２０２の内側は、排気管などを収容する空間Ｓとなっている。
フロア部２２０４は、フロアトンネル２２０２の車幅方向の両側に位置している。
【００１０】
フロア部２２０４上に、車両前後方向に間隔をおいて車幅方向に延在する２つのフロアクロスメンバ２４が設けられている。
フロアクロスメンバ２４の車幅方向内側の端部は、フロアトンネル２２０２の側部に溶接により取着されている。
フロアクロスメンバ２４には、シート２６が取り付けられるシート取り付け部２８が設けられている。シート取り付け部２８は、例えば、複数のねじ孔２８０２を含んで形成されている。
シート２６は、各フロア部２２０４上でフロアクロスメンバ２４の上にシート取り付け部２８を介して取着されている。
【００１１】
本発明のシート取付構造は、図２、図３に示すように、シャシーフレーム１２に対してシート取り付け部２８の変位を規制する変位規制部材３０を含んで構成されている。
本実施の形態では、フロアトンネル２２０２の内部の両側でフロアクロスメンバ２４が溶接された箇所と対応する箇所に補強部材３２がそれぞれ溶接により取り付けられている。
したがって、補強部材３２は、フロアパネル２２を介してフロアクロスメンバ２４と一体化され、言い換えると、フロアパネル２２を介してシート取り付け部２８と一体化されている。
このような補強部材３２を設けると、シート取り付け部２８またはシート取り付け部２８が設けられたフロアパネル２２の箇所に対する変位規制部材３０の取付箇所の設計の自由度を増やす上で有利となり、また、シート取り付け部２８またはシート取り付け部２８が設けられたフロアパネル２２の箇所に対して変位規制部材３０を確実に連結する上で有利となる。
また、フロアトンネル２２０２内に補強部材３２を取り付けることで、フロアパネル２２下方に設けられる種々の部材に干渉することなく、補強部材３２を簡単に配置する上で有利となる。
【００１２】
変位規制部材３０は、各補強部材３２とシャシーフレーム１２のフレームクロスメンバ２０とにわたってそれぞれ設けられている。
したがって、変位規制部材３０は、補強部材３２、フロアパネル２２を介してフロアクロスメンバ２４とフレームクロスメンバ２０との間に設けられ、言い換えると、シート取り付け部２８が設けられたフロアパネル２２の箇所とフレームクロスメンバ２０との間にわたって設けられている。フレームクロスメンバ２０は車幅方向に延在しているので、このフレームクロスメンバ２０を利用することで、シャシーフレーム１２側への変位規制部材３０の取り付け箇所を簡単に設定する上で有利となる。
【００１３】
変位規制部材３０は、シート取り付け部２８が設けられたフロアパネル２２の箇所に取り付けられるフロアパネル側取り付け部３４と、シャシーフレーム１２に取り付けられるシャシーフレーム１２側取り付け部３６と、それら取り付け部３４、３６を連結するワイヤ３８とを含んで構成されている。
フロアパネル側取り付け部３４は、ボルトにより補強部材３２に連結されるボス部３４Ａと、ボス部３４Ａから突出しワイヤ挿通孔を有する筒部３４Ｂとを有している。
シャシーフレーム１２側取り付け部３６は、ボルトによりフレームクロスメンバ２０に設けられたブラケット２１に連結されるボス部３６Ａと、ボス部３６Ａから突出しワイヤ挿通孔を有する筒部３６Ｂとを有している。
各ボス部３４Ａ、３６Ａは、ワイヤ３８の余長を吸収する機構が設けられており、ワイヤ３８に張力が掛かると余長が繰り出され、一定の余長が繰り出された後はワイヤ３８が緊張するように構成されている。
したがって、走行時の振動によりワイヤ３８に加わる引張力はワイヤ３８の余長によって吸収されるため、ワイヤ３８に無理な引張力が作用しないように図られており、また、ワイヤ３８の余長が吸収されるため、たるんだワイヤ３８が走行時に周囲の部材に干渉することが防止されるように図られている。
【００１４】
図３（Ａ）に示すように、変位規制部材３０は、シート取り付け部２８が設けられたフロアパネル２２の箇所に取り付けられる箇所が、シャシーフレーム１２に取り付けられる箇所よりも車両の前方に変位した箇所に位置し、かつ、平面視した場合、車両の前後方向に延在している。
したがって、本実施の形態では、変位規制部材３０は、シャシーフレーム１２に対してシート取り付け部２８の車両前方への変位を規制するように構成されている。
【００１５】
本実施の形態によれば、次の効果が奏される。
従来、前面衝突時、シート２６に作用する慣性力によりフロアクロスメンバ２４には前方への力が作用し、この力によりフロアクロスメンバ２４は前方に変位し、このフロアクロスメンバ２４の変位によりフロアパネル２２は変形する。
本実施の形態では、前面衝突時、シート２６に作用する慣性力によりフロアクロスメンバ２４には前方への力が作用するものの、この力を変位規制部材３０を介してシャシーフレーム１２で受けることができる。
したがって、フロアクロスメンバ２４の前方への変位を抑制し、フロアパネル２２の変形を抑制する上で有利となる。
また、シャシーフレーム１２を利用してフロアクロスメンバ２４の前方への変位を抑制できるため、フロアパネル２２の変形を抑制するためフロアパネル２２に取り付けていた補強パネルなどの重い補強部材を省略でき、車両の軽量化を図る上で有利となる。
【００１６】
次に、図４を参照して変形例について説明する。
なお、以下の説明では、前記実施の形態と同様の部分、部材について同一の符号を付してその説明を省略する。
この変形例では、変位規制部材３０の延在方向が前記実施の形態と異なっている。
すなわち、変位規制部材３０は、鉛直方向に延在している。
この変形例によれば、シート２６に作用するあらゆる方向の慣性力を変位規制部材３０を介してシャシーフレーム１２で受けることができ、フロアパネル２２の変形を抑制する上で有利となり、また、シャシーフレーム１２を利用することから、前記実施の形態と同様に、補強パネルなどの重い補強部材３２を省略でき、車両の軽量化を図る上で有利となる。
【００１７】
なお、本実施の形態、変形例では、シート取り付け部２８が設けられたフロアパネル２２の箇所とシャシーフレーム１２との間に変位規制部材３０を設けた場合について説明したが、フロアクロスメンバ２４の態様如何によっては、変位規制部材３０は、シート取り付け部２８とシャシーフレーム１２との間に設けられる。
また、変位規制部材３０の構成は、例えば、ワイヤ３８に代えてプレートなどを用いて構成してもよく、実施の形態の構成に限定されないが、ワイヤ３８を用いて変位規制部材３０を構成すると、変位規制部材３０の軽量化を図る上で有利となる。
【符号の説明】
【００１８】
１０  フレーム車
１２  シャシーフレーム
２０  フレームクロスメンバ
２２  フロアパネル
２２０２  フロアトンネル
２２０４  フロア部
２４  フロアクロスメンバ
２６  シート
２８  シート取り付け部
３０  変位規制部材
３２  補強部材
３４  フロアパネル側取り付け部
３６  シャシーフレーム側取り付け部
３８  ワイヤ
【図１】
2015217766.tif 000003
【図２】
2015217766.tif 000004
【図３】
2015217766.tif 000005
【図４】
2015217766.tif 000006